(57)【特許請求の範囲】
【請求項１】
車両の各車輪に生じる制動力を個別に調節可能である制動装置と、
前記制動装置を制御し前記車両の後輪の左右の車輪のスリップ状態が同等となるように当該後輪の左右の車輪の制動力を個別に制御する制動力配分制御を実行可能である制御装置とを備え、
前記制御装置は、前記後輪の左右の車輪の制動力の偏差である左右制動力偏差の上限値に基づいて、前記制動力配分制御を実行するものであり、
前記上限値は、前記後輪の左右の車輪のうち制動力が大きい側の車輪が前記車両の横運動の向きと同方向側の車輪である場合に相対的に小さく、前記後輪の左右の車輪のうち制動力が大きい側の車輪が前記車両の横運動の向きと反対方向側の車輪である場合に相対的に大きいことを特徴とする、
制動力制御装置。
【請求項２】
前記上限値は、前記車両の減速度の絶対値が大きいほど大きい、
請求項１に記載の制動力制御装置。
【請求項３】
前記上限値は、前記車両の減速度の絶対値が小さいほど大きい、
請求項１に記載の制動力制御装置。
【請求項４】
前記上限値は、前記車両の走行速度が高いほど小さい、
請求項１乃至請求項３のいずれか１項に記載の制動力制御装置。
【請求項５】
前記上限値は、前記車両の横運動が大きいほど大きい、
請求項１乃至請求項４のいずれか１項に記載の制動力制御装置。
【請求項６】
前記上限値は、前記車両の後輪の前記左右の車輪のうち制動力が大きい側の車輪が前記車両の前輪の前記左右の車輪のうち車輪速度が大きい側の車輪である場合に相対的に大きく、前記車両の後輪の前記左右の車輪のうち制動力が大きい側の車輪が前記車両の前輪の前記左右の車輪のうち車輪速度が小さい側の車輪である場合に相対的に小さい、
請求項１乃至請求項５のいずれか１項に記載の制動力制御装置。
【請求項７】
車両の各車輪に生じる制動力を個別に調節可能である制動装置と、
前記制動装置を制御し前記車両の後輪の左右の車輪のスリップ状態が同等となるように当該後輪の左右の車輪の制動力を個別に制御する制動力配分制御を実行可能である制御装置とを備え、
前記制御装置は、前記後輪の左右の車輪の制動力の偏差である左右制動力偏差の上限値に基づいて、前記制動力配分制御を実行するものであり、
前記上限値は、前記車両の後輪の前記左右の車輪のうち制動力が大きい側の車輪が前記車両の前輪の前記左右の車輪のうち車輪速度が大きい側の車輪である場合に相対的に大きく、前記車両の後輪の前記左右の車輪のうち制動力が大きい側の車輪が前記車両の前輪の前記左右の車輪のうち車輪速度が小さい側の車輪である場合に相対的に小さいことを特徴とする、
制動力制御装置。
【発明の詳細な説明】
【技術分野】
【０００１】
本発明は、制動力制御装置に関する。
【背景技術】
【０００２】
従来の制動力制御装置として、特許文献１には、車体速度が所定値以上で車体減速度が所定値以上のとき、最大前輪車輪速度と各後輪の車輪速度との差に基づいて、前輪と後輪とのブレーキ力配分を理想曲線に近似し得るように、左右後輪の制動力を独立して制御する車両用ブレーキ装置が開示されている。
【先行技術文献】
【特許文献】
【０００３】
【特許文献１】特開平１０−１３８８９５号公報
【発明の概要】
【発明が解決しようとする課題】
【０００４】
ところで、上述のような特許文献１に記載されている車両用ブレーキ装置は、例えば、車両の左右の車輪のタイヤ特性（μ特性）が相違する場合や左右の車輪が接地する路面の摩擦係数（路面μ）が相違する走行路であるいわゆるまたぎ路を車両が走行している場合等の車両の挙動の安定化の点で更なる改善の余地がある。
【０００５】
本発明は、上記の事情に鑑みてなされたものであって、車両の挙動を安定化させることができる制動力制御装置を提供することを目的とする。
【課題を解決するための手段】
【０００６】
上記目的を達成するために、本発明に係る制動力制御装置は、車両の各車輪に生じる制動力を個別に調節可能である制動装置と、前記制動装置を制御し前記車両の後輪の左右の車輪のスリップ状態が同等となるように当該後輪の左右の車輪の制動力を個別に制御する制動力配分制御を実行可能である制御装置とを備え、前記制御装置は、前記後輪の左右の車輪の制動力の偏差である左右制動力偏差の上限値に基づいて、前記制動力配分制御を実行するものであり、前記上限値は、前記後輪の左右の車輪のうち制動力が大きい側の車輪が前記車両の横運動の向きと同方向側の車輪である場合に相対的に小さく、前記後輪の左右の車輪のうち制動力が大きい側の車輪が前記車両の横運動の向きと反対方向側の車輪である場合に相対的に大きいことを特徴とする。
【０００９】
また、上記制動力制御装置では、前記上限値は、前記車両の減速度の絶対値が大きいほど大きいものとすることができる。
【００１０】
また、上記制動力制御装置では、前記上限値は、前記車両の減速度の絶対値が小さいほど大きいものとすることができる。
【００１１】
また、上記制動力制御装置では、前記上限値は、前記車両の走行速度が高いほど小さいものとすることができる。
【００１２】
また、上記制動力制御装置では、前記上限値は、前記車両の横運動が大きいほど大きいものとすることができる。
【００１３】
また、上記制動力制御装置では、前記上限値は、前記後輪の左右の車輪のうち制動力が大きい側の車輪が前記車両の横運動の向きと同方向側の車輪である場合に相対的に小さく、前記後輪の左右の車輪のうち制動力が大きい側の車輪が前記車両の横運動の向きと反対方向側の車輪である場合に相対的に大きいものとすることができる。
【００１４】
また、上記制動力制御装置では、前記上限値は、前記車両の後輪の前記左右の車輪のうち制動力が大きい側の車輪が前記車両の前輪の前記左右の車輪のうち車輪速度が大きい側の車輪である場合に相対的に大きく、前記車両の後輪の前記左右の車輪のうち制動力が大きい側の車輪が前記車両の前輪の前記左右の車輪のうち車輪速度が小さい側の車輪である場合に相対的に小さいものとすることができる。
【発明の効果】
【００１５】
本発明に係る制動力制御装置は、車両の挙動を安定化させることができる、という効果を奏する。
【図面の簡単な説明】
【００１６】
【図１】図１は、参考例１に係る制動力制御装置が適用された車両の概略構成図である。
【図２】図２は、参考例１に係る制動力制御装置のＥＣＵによる制動力配分制御の一例を説明するフローチャートである。
【図３】図３は、参考例２に係る制動力制御装置の上限値マップの一例を示す線図である。
【図４】図４は、参考例３に係る制動力制御装置の上限値マップの一例を示す線図である。
【図５】図５は、参考例４に係る制動力制御装置の上限値マップの一例を示す線図である。
【図６】図６は、参考例５に係る制動力制御装置の上限値マップの一例を示す線図である。
【図７】図７は、実施形態１に係る制動力制御装置の上限値について説明するための模式図である。
【図８】図８は、実施形態１に係る制動力制御装置の上限値について説明するための模式図である。
【図９】図９は、実施形態２に係る制動力制御装置の上限値について説明するための模式図である。
【図１０】図１０は、実施形態２に係る制動力制御装置の上限値について説明するための模式図である。
【発明を実施するための形態】
【００１７】
以下に、本発明に係る実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１８】
［参考例１］
図１は、参考例１に係る制動力制御装置が適用された車両の概略構成図、図２は、参考例１に係る制動力制御装置のＥＣＵによる制動力配分制御の一例を説明するフローチャートである。
【００１９】
図１に例示する本参考例の制動力制御装置１は、車両２の左右の車輪３、典型的には、車両２の後側の左右の車輪（以下、「後輪」という場合がある。）３のスリップ状態（スリップ率）が同等となるように当該車輪３の制動力を独立して個別に制御する制動力配分制御を実行可能である制動力配分装置である。そして、制動力制御装置１は、この制動力配分制御において、許容する後側の左右の車輪３の制動力差（制動力偏差）の上限値を設定する。これにより、この制動力制御装置１は、車両２の左右の車輪３のタイヤ特性（μ特性）が相違する場合や左右の車輪３が接地する路面の摩擦係数（路面μ）が相違する走行路、いわゆるまたぎ路を車両２が走行している場合等の車両２の挙動の安定化を図っている。
【００２０】
そして、本参考例の制動力制御装置１は、制動力差が上限値より大きくなった場合には、左右の車輪３のうちの、偏向時あるいは旋回時における外輪側の制動力増加要求時にこの制動力増加要求自体を禁止し、外輪側の制動力増加要求を出力しない、あるいは、制動力要求値を増加させない。また、制動力制御装置１は、制動力差が上限値より大きくなった場合には、左右の車輪３のうちの、偏向時あるいは旋回時における内輪側の制動力減少要求時に制動力減少要求を左右同時出力とし、内外輪の制動力要求値を同時に減少させ、左右の車輪３の制動力を同時に減少させる。
【００２１】
本参考例の制動力制御装置１は、図１に示すように車両２に搭載され、この車両２を制動するための制動制御システムである。制動力制御装置１は、典型的には、車両２の車輪３に生じる制動力を制御することで各車輪３のスリップ状態を制御し、車両２の挙動を安定化させるシステムである。車両２は、車輪３として、左前輪（左前側の車輪３）３ＦＬ、右前輪（右前側の車輪３）３ＦＲ、左後輪（左後側の車輪３）３ＲＬ、右後輪（右後側の車輪３）３ＲＲを備えるが、これらを特に分ける必要がない場合には単に車輪３という。
【００２２】
具体的には、制動力制御装置１は、アクセルペダル４、動力源５、ブレーキペダル６、制動装置７、制御装置としてのＥＣＵ８などを備える。車両２は、運転者によるアクセルペダル４の操作に応じて動力源５が動力（トルク）を発生させ、この動力が動力伝達装置（不図示）を介して車輪３に伝達され、この車輪３に駆動力を発生させる。また、車両２は、運転者によるブレーキペダル６の操作に応じて制動装置７が作動することで車輪３に制動力を発生させる。
【００２３】
動力源５は、内燃機関や電動機などの走行用の動力源である。制動装置７は、車両２の各車輪３に生じる制動力を個別に調節可能である。制動装置７は、マスタシリンダ９から油圧制御装置（油圧アクチュエータ）１０を介してホイールシリンダ１１に接続する油圧経路に、作動流体であるブレーキオイルが充填された種々の油圧ブレーキ装置である。制動装置７は、ホイールシリンダ１１に供給される制動圧力に応じて油圧制動部１２が作動し車輪３に圧力制動力を発生させる。制動装置７は、基本的には運転者がブレーキペダル６を操作することで、ブレーキペダル６に作用するペダル踏力（操作力）に応じてマスタシリンダ９によりブレーキオイルにマスタシリンダ圧（操作圧力）が付与される。そして、制動装置７は、このマスタシリンダ圧に応じた圧力が各ホイールシリンダ１１にてホイールシリンダ圧（制動圧力）として作用することで油圧制動部１２が作動する。各油圧制動部１２は、ブレーキパッドがディスクロータに当接し押し付けられることで、車輪３と共に回転するディスクロータに対して、ホイールシリンダ圧に応じた所定の回転抵抗力が作用し、このディスクロータ及びこれと一体で回転する車輪３に制動力を付与することができる。この間、制動装置７は、油圧制御装置１０によってホイールシリンダ圧が運転状態に応じて適宜調圧される。
【００２４】
ここで、油圧制御装置１０は、ホイールシリンダ圧を四輪独立に個別に増圧、減圧、保持を行うことで、各車輪３に生じる制動力を個別に調節するものである。油圧制御装置１０は、マスタシリンダ９とホイールシリンダ１１とを接続するブレーキオイルの油圧経路上に設けられ、ブレーキペダル６のブレーキ操作とは別にＥＣＵ８による制御によって各ホイールシリンダ１１内の液圧を増減し、各車輪３に付与する制動力を制御する。油圧制御装置１０は、例えば、複数の配管、オイルリザーバ、オイルポンプ、各車輪３にそれぞれ設けられた各ホイールシリンダ１１に接続する各油圧配管、各油圧配管の油圧を各々に増圧、減圧、保持するための複数の電磁弁などを含んで構成され、ＥＣＵ８により制御される。油圧制御装置１０は、ＥＣＵ８の制御指令にしたがって油圧配管内の油圧（マスタシリンダ圧）をそのまま、又は、加圧、減圧して後述する各ホイールシリンダ１１に伝える作動流体圧力調節部として機能する。
【００２５】
油圧制御装置１０は、通常の運転時には、例えば、ＥＣＵ８の制御指令にしたがってオイルポンプや所定の電磁弁が駆動することで、運転者によるブレーキペダル６の操作量（踏み込み量）に応じてホイールシリンダ１１に作用するホイールシリンダ圧を調圧することができる。また、油圧制御装置１０は、後述するように制動力配分制御等を実行する場合には、例えば、ＥＣＵ８の制御指令にしたがってオイルポンプや所定の電磁弁が駆動することで、ホイールシリンダ１１に作用するホイールシリンダ圧を増圧する増圧モード、ほぼ一定に保持する保持モード、減圧する減圧モードなどで作動可能である。油圧制御装置１０は、ＥＣＵ８による制御によって、車両２の走行状態に応じて各車輪３のホイールシリンダ１１ごとに個別に上記モードを設定することができる。すなわち、油圧制御装置１０は、運転者によるブレーキペダル６の操作とは無関係に車両２の走行状態に応じて各車輪３に作用する制動力を個別に調節することができる。
【００２６】
ＥＣＵ８は、車両２の各部の駆動を制御するものであり、ＣＰＵ、ＲＯＭ、ＲＡＭ及びインターフェースを含む周知のマイクロコンピュータを主体とする電子回路を含んで構成される。ＥＣＵ８は、例えば、各車輪３の回転速度を検出する各車輪速度センサ１３、車両２の車体に生じる前後方向（走行方向）の加速度を検出する前後加速度センサ１４、車両２のヨーレートを検出するヨーレートセンサ１５、車両２の車体に生じる横方向（走行方向と交差（直交）する方向）の加速度を検出する横加速度センサ１６、車両２の舵角を検出する舵角センサ１７、マスタシリンダ圧を検出するマスタシリンダ圧センサ１８、各車輪３のホイールシリンダ圧を検出する各ホイールシリンダ圧センサ１９等の車両２の各所に取り付けられた種々のセンサ、検出装置が電気的に接続され、検出結果に対応した電気信号が入力される。ホイールシリンダ圧センサ１９が検出するホイールシリンダ圧は、各車輪３の油圧制動部１２が発生させる制動力の大きさに応じた値となる。ＥＣＵ８は、各種センサから入力された各種入力信号や各種マップに基づいて、格納されている制御プログラムを実行することにより、動力源５や制動装置７の油圧制御装置１０などの車両２の各部に駆動信号を出力しこれらの駆動を制御する。  
【００２７】
そして、本参考例のＥＣＵ８は、車両２の走行状態に応じて油圧制御装置１０を制御し、各車輪３にそれぞれ設けられたホイールシリンダ１１のホイールシリンダ圧を個別に増減し、各車輪３における制動力を個別に制御することで車両２の制動力配分機能等を実現することができる。ＥＣＵ８は、車両２の挙動を安定化させる制御として、制動装置７を制御して車輪３のスリップ状態を個別に制御する制動力配分制御等を実行可能である。これにより、制動力制御装置１は、車両２の挙動の制御を行うことができる。
【００２８】
本参考例のＥＣＵ８は、上述したように、制動装置７を制御し車両２の左右の車輪３のスリップ状態が同等となるように当該左右の車輪３の制動力を個別に制御する制動力配分制御を実行する。ＥＣＵ８は、制動力配分制御では、各車輪３のホイールシリンダ圧（以下、単に「ブレーキ油圧」という場合がある。）を調節し各車輪３に生じる制動力を制御することで、車輪３のスリップ状態、例えば、車輪３のスリップ率を制御する。ここで、スリップ率とは、車輪３のタイヤと路面とのスリップ（滑り）をあらわす指標である。ＥＣＵ８は、典型的には、制動装置７の油圧制御装置１０を制御して、左右の後輪である左後輪３ＲＬ、右後輪３ＲＲのスリップ率が等しくなるように、当該左後輪３ＲＬ、右後輪３ＲＲのブレーキ油圧を左右独立して個別に制御する。
【００２９】
ＥＣＵ８は、制動力配分制御では、基本的には、左後輪３ＲＬ、右後輪３ＲＲのスリップ率がそれぞれ制動力配分制御における目標のスリップ率になるように左後輪３ＲＬ、右後輪３ＲＲのブレーキ油圧を個別に制御する。これにより、ＥＣＵ８は、各車輪３の制動力配分を制御し、左後輪３ＲＬ、右後輪３ＲＲに生じる制動力を制御する。ＥＣＵ８は、左後輪３ＲＬ、右後輪３ＲＲそれぞれにおいて、実際のスリップ率が上記目標のスリップ率より大きくなった場合にブレーキ油圧を減圧し制動力を低減する一方、実際のスリップ率が目標のスリップ率より小さくなった場合にブレーキ油圧を増圧し制動力を増加する。ＥＣＵ８は、これを周期的に繰り返すことで左後輪３ＲＬ、右後輪３ＲＲのスリップ率が同等になるように制御し、これにより、車両２の安定性を向上することができる。
【００３０】
なお、目標のスリップ率は、例えば、運転者によるブレーキペダル６に応じて制動装置７が各車輪３に制動力を発生させた際の左前輪３ＦＬ、右前輪３ＦＲの実際のスリップ率と同等のスリップ率に応じて設定される。この目標のスリップ率は、所定の範囲を有していてもよい。また、ＥＣＵ８は、例えば、車輪３の車輪速度と車両２の走行速度である車速とに基づいて各車輪３のスリップ率を求めるなど、種々の公知の手法を用いて車輪３のスリップ率を求めればよい。一例として、ＥＣＵ８は、各車輪速度センサ１３が検出した各車輪３の車輪速度Ｖｗと、各車輪３の車輪速度Ｖｗから推定される車両２の車速Ｖｒとに基づき、下記の数式（１）を用いてスリップ率κを求める。スリップ率κは、各車輪速度センサ１３による各検出値に基づいて各車輪３に対応してそれぞれ演算されている。なお、上記車速は、各車輪速度センサ１３とは別個に設けられた車速センサによって検出されてもよい。
κ＝（Ｖｒ−Ｖｗ）／Ｖｒ  ・・・  （１）
【００３１】
なおこの場合、上記のように、制動力配分制御によって左後輪３ＲＬ、右後輪３ＲＲの各スリップ率を左前輪３ＦＬ、右前輪３ＦＲのスリップ率と同等にすることは、左後輪３ＲＬ、右後輪３ＲＲの各車輪速度を左前輪３ＦＬ、右前輪３ＦＲの車輪速度と同等にすることに相当することとなる。
【００３２】
そして、本参考例のＥＣＵ８は、制動力配分制御を実行する場合に、左後輪３ＲＬ、右後輪３ＲＲの制動力の差（偏差）である左右制動力差（左右制動力偏差）の上限値に基づいて、制動力配分制御を実行する。左後輪３ＲＬ、右後輪３ＲＲの左右制動力差に対して設定される上限値は、許容できる制動力差に応じて予め設定される。当該上限値は、実車評価等に基づいて、車輪３のスリップ状態、車両２の挙動安定性等に応じて予め設定され、ＥＣＵ８の記憶部に記憶されている。これにより、制動力制御装置１は、例えば、車両２の左右の車輪３のタイヤ特性が相違する場合や車両２がまたぎ路を走行している場合であっても、車両の挙動を安定化させることができる。
【００３３】
例えば、車両２は、左側の車輪３と右側の車輪３とでタイヤ特性の異なるタイヤが装着されている場合や左右の車輪３が接地する路面の摩擦係数が異なるまたぎ路制動の場合に、挙動に乱れが生じるおそれがある。すなわち、車両２は、左右の車輪３のタイヤ特性や左右の車輪３が接地する路面の摩擦係数が異なる場合には、左後輪３ＲＬ、右後輪３ＲＲのスリップ率が等しくなるように上記制動力配分制御が実行されても適正な制動力配分が得られないおそれがある。これにより、車両２は、意図しない制動力差により車体の偏向が引き起こされるおそれがある。例えば、左後輪３ＲＬにグリップの高いタイヤ（μ特性が高いタイヤ）を装着し右後輪３ＲＲにグリップの低いタイヤ（μ特性が低いタイヤ）を装着した場合を仮定する。この場合、車両２は、左後輪３ＲＬと右後輪３ＲＲとのグリップの違いから、制動時に車体が左に偏向、旋回しようとする傾向になる。このときの適正な制動力配分は、［右後輪３ＲＲの制動力］＞［左後輪３ＲＬの制動力］である。しかしながら、このような場合に上記制動力配分制御によって左後輪３ＲＬ、右後輪３ＲＲのスリップ率が等しくなるように右後輪３ＲＲ、左後輪３ＲＬの制動力を調節すると、実際の制動力配分は、［右後輪３ＲＲの制動力］＜［左後輪３ＲＬの制動力］となってしまうおそれがある。この結果、車両２は、左後輪３ＲＬと右後輪３ＲＲとのグリップの違いから制動時に車体が左に偏向、旋回しようとする傾向にある状態で上記制動力配分制御が実行されることで、さらに左に偏向、旋回しようとする制動力配分になってしまうおそれがある。
【００３４】
これに対して、ＥＣＵ８は、上述したように、左後輪３ＲＬ、右後輪３ＲＲの左右制動力差の上限値に基づいて、制動力配分制御を実行する。ＥＣＵ８は、制動力配分制御において、左後輪３ＲＬ、右後輪３ＲＲの左右制動力差が上限値より大きい場合、左後輪３ＲＬ、右後輪３ＲＲのうちの、偏向時あるいは旋回時における外輪側の制動力（上記の例では右後輪３ＲＲ側の制動力）の増加を禁止し、当該外輪側の制動力を増加させない。この場合、ＥＣＵ８は、左後輪３ＲＬ、右後輪３ＲＲのうちの外輪側の制動力増加要求時にこの制動力増加要求自体を禁止し、外輪側の制動力増加要求を出力しない、あるいは、制動力要求値を増加させない。なお、車両２は、例えば、左右制動力差、左右の車輪３のタイヤ特性、左右の車輪３が接地する路面の摩擦係数等に応じてその偏向、旋回方向が定まり、これに応じて内輪、外輪が定まることとなる。
【００３５】
また、ＥＣＵ８は、制動力配分制御において、左後輪３ＲＬ、右後輪３ＲＲの左右制動力差が上限値より大きい場合、左後輪３ＲＬ、右後輪３ＲＲのうちの、偏向時あるいは旋回時における内輪側の制動力を減少させる際には当該内輪側の制動力の減少に伴って外輪側の制動力も減少させる。この場合、ＥＣＵ８は、左後輪３ＲＬ、右後輪３ＲＲのうちの内輪側の制動力減少要求時に制動力減少要求を左右同時出力とし、内外輪の制動力要求値を同時に減少させ、左後輪３ＲＬ、右後輪３ＲＲの制動力を同時に減少させる。
【００３６】
上記のように構成される制動力制御装置１は、左後輪３ＲＬ、右後輪３ＲＲの左右制動力差の上限値に基づいて制動力配分制御を実行し、例えば、左後輪３ＲＬ、右後輪３ＲＲの左右制動力差が上限値に達している状態では外輪側の制動力を増加させない。したがって、制動力制御装置１は、制動力配分制御において、左後輪３ＲＬ、右後輪３ＲＲのスリップ率を等しくするべく、右後輪３ＲＲ、左後輪３ＲＬの制動力を個別に調節する際に、左右制動力差が許容されうる上限値以上になることを抑制することができる。これにより、制動力制御装置１は、左右の制動力配分を適正化でき、意図しない左右の制動力差により車両２の偏向、旋回が発生することを抑制することができる。この結果、制動力制御装置１は、例えば、車両２の左右の車輪３のタイヤ特性が相違する場合や車両２がまたぎ路を走行している場合であっても、車両２の挙動に乱れが生じることを最小限に抑制することができる。
【００３７】
また、制動力制御装置１は、左後輪３ＲＬ、右後輪３ＲＲの左右制動力差が上限値に達している状態で内輪側のブレーキ油圧の減圧（左右制動力差が拡大する側への調圧）が必要になった場合には、内外輪のブレーキ油圧を同時に減圧し、左後輪３ＲＬ、右後輪３ＲＲの制動力を同時に減少させる。これにより、制動力制御装置１は、左右制動力差を許容範囲内、すなわち上限値の範囲内に収めつつ、左後輪３ＲＬ、右後輪３ＲＲを適正なスリップ率とすることができ、左後輪３ＲＬ、右後輪３ＲＲのロック等を防止し車両２の方向安定性等を確実に確保することができる。
【００３８】
次に、図２のフローチャートを参照してＥＣＵ８による制動力配分制御の一例を説明する。なお、これらの制御ルーチンは、数ｍｓないし数十ｍｓ毎の制御周期で繰り返し実行される。また、本参考例の制動力配分制御は、左後輪３ＲＬ、右後輪３ＲＲに対してそれぞれ個別に実行される。以下の説明では、左後輪３ＲＬ、右後輪３ＲＲのうち制動力配分制御の対象となっている車輪３を制御対象後輪という。
【００３９】
ＥＣＵ８は、ホイールシリンダ圧センサ１９による検出結果等に基づいて現在制動中であるか否かを判定する（ＳＴ１）。ＥＣＵ８は、現在制動中でないと判定した場合（ＳＴ１：Ｎｏ）、現在の制御周期を終了し、次の制御周期に移行する。
【００４０】
ＥＣＵ８は、現在制動中であると判定した場合（ＳＴ１：Ｙｅｓ）、ホイールシリンダ圧センサ１９による検出結果等に基づいて制御対象後輪のブレーキ油圧を保持中であるか否かを判定する（ＳＴ２）。
【００４１】
ＥＣＵ８は、制御対象後輪のブレーキ油圧を保持中でないと判定した場合（ＳＴ２：Ｎｏ）、車輪速度センサ１３の検出結果等に基づいて、制御対象後輪のスリップ率κが閾値Ａより大きいか否かを判定する（ＳＴ３）。閾値Ａは、例えば、上記で説明した目標のスリップ率に応じて設定される。
【００４２】
ＥＣＵ８は、制御対象後輪のスリップ率κが閾値Ａ以下であると判定した場合（ＳＴ３：Ｎｏ）、現在の制御周期を終了し、次の制御周期に移行する。ＥＣＵ８は、制御対象後輪のスリップ率κが閾値Ａより大きいと判定した場合（ＳＴ３：Ｙｅｓ）、油圧制御装置１０を制御して制御対象後輪のブレーキ油圧を保持し当該制御対象後輪の制動力を保持して（ＳＴ４）、現在の制御周期を終了し、次の制御周期に移行する。
【００４３】
ＥＣＵ８は、ＳＴ２にて、制御対象後輪のブレーキ油圧を保持中であると判定した場合（ＳＴ２：Ｙｅｓ）、車輪速度センサ１３の検出結果に基づいて、制御対象後輪のスリップ率κが閾値Ｂより大きいか否かを判定する（ＳＴ５）。閾値Ｂは、上記の閾値Ａと同様に、例えば、上記で説明した目標のスリップ率に応じて設定される。
【００４４】
ＥＣＵ８は、制御対象後輪のスリップ率κが閾値Ｂ以下であると判定した場合（ＳＴ５：Ｎｏ）、車輪速度センサ１３の検出結果に基づいて、制御対象後輪のスリップ率κが閾値Ｃより小さいか否かを判定する（ＳＴ６）。閾値Ｃは、上記の閾値Ａ、Ｂと同様に、例えば、上記で説明した目標のスリップ率に応じて設定される。ここでは、閾値Ｃは、制御のハンチングを抑制するため、閾値Ｂに対して所定のヒステリシスを踏まえて設定される。
【００４５】
ＥＣＵ８は、制御対象後輪のスリップ率κが閾値Ｃ以上であると判定した場合（ＳＴ６：Ｎｏ）、ＳＴ４に移行し油圧制御装置１０を制御して制御対象後輪のブレーキ油圧を保持する。
【００４６】
ＥＣＵ８は、制御対象後輪のスリップ率κが閾値Ｃより小さいと判定した場合（ＳＴ６：Ｙｅｓ）、ホイールシリンダ圧センサ１９の検出結果等に基づいて、現在の左後輪３ＲＬ、右後輪３ＲＲの左右制動力差が閾値Ｄより大きいか否かを判定する（ＳＴ７）。閾値Ｄは、上述の上限値に応じて設定される。
【００４７】
ＥＣＵ８は、現在の左後輪３ＲＬ、右後輪３ＲＲの左右制動力差が閾値Ｄ以下であると判定した場合（ＳＴ７：Ｎｏ）、油圧制御装置１０を制御して制御対象後輪のブレーキ油圧を増圧し当該制御対象後輪の制動力を増加させて（ＳＴ８）、現在の制御周期を終了し、次の制御周期に移行する。
【００４８】
ＥＣＵ８は、現在の左後輪３ＲＬ、右後輪３ＲＲの左右制動力差が閾値Ｄより大きいと判定した場合（ＳＴ７：Ｙｅｓ）、制御対象後輪が外輪であるか否かを判定する（ＳＴ９）。
【００４９】
ＥＣＵ８は、制御対象後輪が外輪でなかった場合（ＳＴ９：Ｎｏ）、ＳＴ８に移行し油圧制御装置１０を制御して制御対象後輪のブレーキ油圧を増圧する。ＥＣＵ８は、制御対象後輪が外輪であった場合（ＳＴ９：Ｙｅｓ）、ブレーキ油圧の増圧を禁止し、油圧制御装置１０を制御して制御対象後輪のブレーキ油圧を保持し当該制御対象後輪の制動力を保持して（ＳＴ１０）、現在の制御周期を終了し、次の制御周期に移行する。
【００５０】
ＥＣＵ８は、ＳＴ５にて、制御対象後輪のスリップ率κが閾値Ｂより大きいと判定した場合（ＳＴ５：Ｙｅｓ）、ホイールシリンダ圧センサ１９の検出結果等に基づいて、現在の左後輪３ＲＬ、右後輪３ＲＲの左右制動力差が閾値Ｄより大きいか否かを判定する（ＳＴ１１）。
【００５１】
ＥＣＵ８は、現在の左後輪３ＲＬ、右後輪３ＲＲの左右制動力差が閾値Ｄ以下であると判定した場合（ＳＴ１１：Ｎｏ）、油圧制御装置１０を制御して制御対象後輪のブレーキ油圧を減圧し当該制御対象後輪の制動力を減少させて（ＳＴ１２）、現在の制御周期を終了し、次の制御周期に移行する。
【００５２】
ＥＣＵ８は、現在の左後輪３ＲＬ、右後輪３ＲＲの左右制動力差が閾値Ｄより大きいと判定した場合（ＳＴ１１：Ｙｅｓ）、制御対象後輪が内輪であるか否かを判定する（ＳＴ１３）。
【００５３】
ＥＣＵ８は、制御対象後輪が内輪でなかった場合（ＳＴ１３：Ｎｏ）、ＳＴ１２に移行し油圧制御装置１０を制御して制御対象後輪のブレーキ油圧を減圧する。ＥＣＵ８は、制御対象後輪が内輪であった場合（ＳＴ１３：Ｙｅｓ）、油圧制御装置１０を制御して両後輪（左後輪３ＲＬ、右後輪３ＲＲ）のブレーキ油圧を減圧し当該両後輪の制動力を同時に減少させて（ＳＴ１４）、現在の制御周期を終了し、次の制御周期に移行する。
【００５４】
以上で説明した参考例に係る制動力制御装置１によれば、制動装置７と、ＥＣＵ８とを備える。制動装置７は、車両２の各車輪３に生じる制動力を個別に調節可能である。ＥＣＵ８は、制動装置７を制御し車両２の左右の車輪３のスリップ状態が同等となるように当該左右の車輪３の制動力を個別に制御する制動力配分制御を実行可能である。そして、ＥＣＵ８は、左右の車輪３の制動力の偏差である左右制動力偏差の上限値に基づいて、制動力配分制御を実行する。したがって、制動力制御装置１は、車両２の左右の車輪３のタイヤ特性が相違する場合や車両２がまたぎ路を走行している場合であっても、制動力配分制御によって車両の挙動を安定化させることができる。
【００５５】
［参考例２］
図３は、参考例２に係る制動力制御装置の上限値マップの一例を示す線図、図４は、参考例３に係る制動力制御装置の上限値マップの一例を示す線図である。参考例２に係る制動力制御装置は、上限値が車両の減速度の絶対値に応じて変更される点で参考例１とは異なる。その他、上述した参考例と共通する構成、作用、効果については、重複した説明はできるだけ省略する。なお、参考例２に係る制動力制御装置の各構成の詳細については、適宜、図１を参照する（以下の参考例、実施形態でも同様である。）。
【００５６】
本参考例に係る制動力制御装置２０１（図１参照）のＥＣＵ８は、車両２の減速度の絶対値に応じて上限値を変更する。本参考例において、左後輪３ＲＬ、右後輪３ＲＲの左右制動力差に対して設定される上限値は、車両２の減速度の絶対値が大きいほど大きくなるように設定される。
【００５７】
ここで、図３に例示する上限値マップｍ１は、上限値（閾値Ｄ）を設定するためのマップであり、横軸が車両２に発生する減速度（以下、「発生減速度」という場合がある。）、縦軸が左右制動力差に対して設定される上限値を示す。この上限値マップｍ１は、発生減速度と左右制動力差の上限値との関係を記述したものである。上限値マップｍ１は、発生減速度と左右制動力差の上限値との関係が、実車評価等を踏まえて予め設定された上で、ＥＣＵ８の記憶部に格納されている。この上限値マップｍ１では、左右制動力差の上限値は、発生減速度の絶対値の増加に伴って増加する。ＥＣＵ８は、上限値マップｍ１に基づいて、前後加速度センサ１４が検出する発生減速度から左右制動力差の上限値を算出する。これにより、ＥＣＵ８は、車両２の減速度の絶対値が大きいほど左右制動力差の上限値を大きくすることができる。
【００５８】
なお、本参考例では、ＥＣＵ８は、図３に例示する上限値マップｍ１を用いて左右制動力差の上限値を算出するものとして説明したが本参考例はこれに限定されない。ＥＣＵ８は、例えば、図３に例示する左右制動力差の上限値に相当する数式モデルに基づいて左右制動力差の上限値を算出するようにしてもよい。以下で説明する種々のマップについても同様である。
【００５９】
ここで、車両２は、左右の車輪３のタイヤ特性が相違する場合やまたぎ路を走行している場合、発生可能減速度が比較的に小さくなる傾向にある。また、車両２は、発生減速度が大きいほど方向安定性確保のために必要な左右制動力差が大きくなる傾向にある。
【００６０】
これに対して、上記のように構成される制動力制御装置２０１は、発生減速度の絶対値が大きいほど左右制動力差の上限値をより大きな値に設定する。この結果、制動力制御装置２０１は、車両２の左右の車輪３のタイヤ特性が相違する可能性が高い場合や車両２がまたぎ路を走行している可能性が高い場合等、発生減速度の低い運転領域では、制動力配分制御において許容する左右制動力差を抑制しつつ、方向安定性のためにより大きな左右制動力差が必要となる運転領域では、制動力配分制御においてより大きな左右制動力差を許容することができる。この結果、制動力制御装置２０１は、車両２の左右の車輪３のタイヤ特性が相違する場合や車両２がまたぎ路を走行している場合であっても、制動力配分制御によってより確実に車両の挙動を安定化させることができる。
【００６１】
なお、以上の説明では、左右制動力差の上限値は、車両２の減速度の絶対値が大きいほど大きくなるように設定されるものとして説明したが、図４の上限値マップｍ２に例示するように車両２の減速度の絶対値が小さいほど大きくなるように設定されてもよい。この場合、制動力制御装置２０１は、上記とは異なる効果を奏することができる。
【００６２】
より具体的には、図４に例示する上限値マップｍ２では、左右制動力差の上限値は、発生減速度の絶対値の増加に伴って減少する。ＥＣＵ８は、上限値マップｍ２に基づいて、前後加速度センサ１４が検出する発生減速度から左右制動力差の上限値を算出する。これにより、ＥＣＵ８は、車両２の減速度の絶対値が小さいほど左右制動力差の上限値を大きくすることができる。
【００６３】
この場合、制動力制御装置２０１は、車両２の挙動感度が比較的に高い大減速度の運転領域から挙動感度が比較的に低い小減速度の運転領域まで、意図しない制動力差に起因した車両２の挙動変化をほぼ同等に抑制することができ、これにより、運転フィーリングを同等にすることができる。
【００６４】
［参考例４］
図５は、参考例４に係る制動力制御装置の上限値マップの一例を示す線図である。参考例４に係る制動力制御装置は、上限値が車両の走行速度に応じて変更される点で参考例１〜３とは異なる。
【００６５】
本参考例に係る制動力制御装置３０１（図１参照）のＥＣＵ８は、車両２の走行速度である車速に応じて上限値を変更する。本参考例において、左後輪３ＲＬ、右後輪３ＲＲの左右制動力差に対して設定される上限値は、車両２の車速が高いほど小さくなるように設定される。
【００６６】
ここで、図５に例示する上限値マップｍ３は、上限値（閾値Ｄ）を設定するためのマップであり、横軸が車両２の車速、縦軸が左右制動力差に対して設定される上限値を示す。この上限値マップｍ３は、車速と左右制動力差の上限値との関係を記述したものである。上限値マップｍ３は、車速と左右制動力差の上限値との関係が、実車評価等を踏まえて予め設定された上で、ＥＣＵ８の記憶部に格納されている。この上限値マップｍ３では、左右制動力差の上限値は、車速の増加に伴って減少する。ＥＣＵ８は、上限値マップｍ３に基づいて、各車輪速度センサ１３が検出する車輪速度から推定される車速から左右制動力差の上限値を算出する。これにより、ＥＣＵ８は、車両２の車速が高いほど左右制動力差の上限値を小さくすることができる。
【００６７】
左右の車輪３のタイヤ特性の相違やまたぎ路走行に起因して発生する意図しない左右制動力差による車両２の挙動は、車速が相対的に高くなるほど左右制動力差に対する挙動感度が高くなる傾向にある。このため、車両２の挙動は、同等の左右制動力差であっても、車速が相対的に高くなるほど大きくなる傾向にある。
【００６８】
これに対して、上記のように構成される制動力制御装置３０１は、車速が高いほど左右制動力差の上限値をより小さな値に設定する。この結果、制動力制御装置３０１は、車両２の挙動感度が相対的に高くなるほど制動力配分制御において許容する左右制動力差を抑制することができ、車両２の挙動感度が相対的に低くなるほど許容する左右制動力差を大きくすることができる。したがって、制動力制御装置３０１は、車両２の挙動感度が比較的に高い高速運転領域から挙動感度が比較的に低い低速運転領域まで、意図しない制動力差に起因した車両２の挙動変化をほぼ同等に抑制することができ、これにより、運転フィーリングを同等にすることができる。
【００６９】
［参考例５］
図６は、参考例５に係る制動力制御装置の上限値マップの一例を示す線図である。参考例５に係る制動力制御装置は、上限値が車両の横運動に応じて変更される点で参考例１〜４とは異なる。
【００７０】
本参考例に係る制動力制御装置４０１（図１参照）のＥＣＵ８は、車両２の横運動の大きさに応じて上限値を変更する。本参考例において、左後輪３ＲＬ、右後輪３ＲＲの左右制動力差に対して設定される上限値は、車両２の横運動が大きいほど大きくなるように設定される。ここで、車両２の横運動の大きさをあらわす指標は、例えば、ヨーレートセンサ１５が検出する車両２のヨーレート、横加速度センサ１６が検出する車両２の横方向加速度、舵角センサ１７が検出する車両２の舵角等を用いることができる。
【００７１】
図６に例示する上限値マップｍ４は、上限値（閾値Ｄ）を設定するためのマップであり、横軸が車両２の横運動の大きさをあらわす指標（ヨーレートＹｒ、横方向加速度Ｇｙ、あるいは、舵角）、縦軸が左右制動力差に対して設定される上限値を示す。この上限値マップｍ４は、横運動の大きさをあらわす指標と左右制動力差の上限値との関係を記述したものである。上限値マップｍ４は、横運動の大きさをあらわす指標と左右制動力差の上限値との関係が、実車評価等を踏まえて予め設定された上で、ＥＣＵ８の記憶部に格納されている。この上限値マップｍ４では、左右制動力差の上限値は、横運動をあらわす指標の増加に伴って増加する。ＥＣＵ８は、上限値マップｍ４に基づいて、ヨーレートセンサ１５が検出する車両２のヨーレート、横加速度センサ１６が検出する車両２の横方向加速度、あるいは、舵角センサ１７が検出する車両２の舵角から左右制動力差の上限値を算出する。これにより、ＥＣＵ８は、車両２の横運動が大きいほど左右制動力差の上限値を大きくすることができる。
【００７２】
ここで、左後輪３ＲＬ、右後輪３ＲＲのスリップ率が等しくなるように左後輪３ＲＬ、右後輪３ＲＲの制動力を制御する制動力配分制御のメリットの１つとして、車両２の旋回中であっても適切な制動力配分を実現することができる点が挙げられる。これにより、車両２は、例えば、［外輪制動力＞内輪制動力］となり旋回中のスピンが抑制される。このとき、制動力制御装置４０１は、制動力配分制御における左右制動力に上限値を設けることで、直進時よりも大きな左右制動力差が必要となる旋回制動時には、左右制動力が上限値に達してしまい、車両安定性が抑制されてしまうおそれがある。
【００７３】
これに対して、上記のように構成される制動力制御装置４０１は、例えば、制動開始時に車両２が横運動をしている場合に、車両２の横運動が大きいほど左右制動力差の上限値をより大きな値に設定する。この結果、制動力制御装置４０１は、旋回制動時において必要な左右制動力差を許容しつつ、直進時に意図しない左右制動力差に起因して車両２の挙動に乱れが生じることを最小限に抑制することができる。
【００７４】
［実施形態１］
図７、図８は、実施形態１に係る制動力制御装置の上限値について説明するための模式図である。実施形態１に係る制動力制御装置は、上限値の設定手法が参考例１〜５とは異なる。
【００７５】
本実施形態に係る制動力制御装置５０１（図１参照）のＥＣＵ８は、ホイールシリンダ圧センサ１９の検出結果等に基づいて、左後輪３ＲＬと右後輪３ＲＲとの制動力の大小関係に応じて左右制動力差の上限値を設定する。
【００７６】
すなわち、ＥＣＵ８は、図７に例示するように、左後輪３ＲＬ、右後輪３ＲＲのうち制動力が大きい側の車輪（図７の例では左後輪３ＲＬ）が車両２の横運動の向きと同方向側の車輪である場合に左右制動力差の上限値を相対的に小さくなるように設定する。これにより、ＥＣＵ８は、左後輪３ＲＬと右後輪３ＲＲとの制動力の大小関係が車両２の横運動を助長する関係にある場合に、左右制動力差の上限値を相対的に小さくすることができる。
【００７７】
一方、ＥＣＵ８は、図８に例示するように、左後輪３ＲＬ、右後輪３ＲＲのうち制動力が大きい側の車輪（図８の例では左後輪３ＲＬ）が車両２の横運動の向きと反対方向側の車輪である場合に左右制動力差の上限値を相対的に大きくなるように設定する。これにより、ＥＣＵ８は、左後輪３ＲＬと右後輪３ＲＲとの制動力の大小関係が車両２の横運動を打ち消す関係にある場合に、左右制動力差の上限値を相対的に大きくすることができる。
【００７８】
したがって、上記のように構成される制動力制御装置５０１は、例えば、車両２の制動開始後に操舵された場合に、操舵による車両２の横運動の向きと、左右制動力差に起因する車両２の挙動変化の向きとの関係に応じて、左右制動力差の上限値を設定することができる。この結果、制動力制御装置５０１は、車両２の挙動が安定する側に対しては左右制動力差を十分に許容することができる一方、車両２の挙動が不安定となる側には左右制動力差を確実に抑制することができる。これにより、制動力制御装置５０１は、例えば、車両２の制動開始後に操舵された場合等、制動開始後に車両２の挙動に大きな変化があった場合であっても、制動力配分制御によってより確実に車両２の挙動を安定化させることができる。
【００７９】
［実施形態２］
図９、図１０は、実施形態２に係る制動力制御装置の上限値について説明するための模式図である。実施形態２に係る制動力制御装置は、上限値の設定手法が参考例１〜５、実施形態１とは異なる。
【００８０】
本実施形態に係る制動力制御装置６０１（図１参照）のＥＣＵ８は、車輪速度センサ１３、ホイールシリンダ圧センサ１９の検出結果等に基づいて、左前輪３ＦＬと右前輪３ＦＲとの車輪速度の大小関係、及び、左後輪３ＲＬと右後輪３ＲＲとの制動力の大小関係に応じて左右制動力差の上限値を設定する。
【００８１】
すなわち、ＥＣＵ８は、図９に例示するように、左後輪３ＲＬ、右後輪３ＲＲのうち制動力が大きい側の車輪（図９の例では左後輪３ＲＬ）が左前輪３ＦＬ、右前輪３ＦＲのうち車輪速度が大きい側の車輪である場合に左右制動力差の上限値を相対的に大きくなるように設定する。これにより、ＥＣＵ８は、左後輪３ＲＬと右後輪３ＲＲとの制動力の大小関係が、当該関係を前輪側の制動力の大小関係に置き換えたと仮定した場合に左前輪３ＦＬと右前輪３ＦＲとの車輪速度差を打ち消す関係にある場合に、左右制動力差の上限値を相対的に大きくすることができる。
【００８２】
一方、ＥＣＵ８は、図１０に例示するように、左後輪３ＲＬ、右後輪３ＲＲのうち制動力が大きい側の車輪（図１０の例では左後輪３ＲＬ）が左前輪３ＦＬ、右前輪３ＦＲのうち車輪速度が小さい側の車輪である場合に左右制動力差の上限値を相対的に小さくなるように設定する。これにより、ＥＣＵ８は、左後輪３ＲＬと右後輪３ＲＲとの制動力の大小関係が、当該関係を前輪側の制動力の大小関係に置き換えたと仮定した場合に左前輪３ＦＬと右前輪３ＦＲとの車輪速度差が拡大する関係にある場合に、左右制動力差の上限値を相対的に小さくすることができる。
【００８３】
ここで、車両２の方向安定性確保のため、必要な左右制動力差が相対的に大きくなる傾向にあるケースとしては、例えば、発生減速度が相対的に大きい場合、車両２が旋回中である場合、左右の接地荷重差が大きい場合等が挙げられる。制動力制御装置６０１は、これらのケースでは［内輪制動力＜外輪制動力］となるように制動力配分する。これは左前輪３ＦＬ、右前輪３ＦＲの車輪速度差［内輪車輪速度＜外輪車輪速度］を打ち消す向きと一致する。しかしながら、左右の車輪３のタイヤ特性が相違する場合や車両２がまたぎ路を走行している場合等、車両２の車体の偏向が引き起こされる場合には、制動力制御装置６０１は、［内輪制動力＞外輪制動力］となるように制動力配分してしまい、左前輪３ＦＬ、右前輪３ＦＲの車輪速度差［内輪車輪速度＜外輪車輪速度］を拡大する向きとなる。
【００８４】
本実施形態の制動力制御装置６０１は、この現象を利用し、左後輪３ＲＬと右後輪３ＲＲとの制動力の大小関係が左前輪３ＦＬと右前輪３ＦＲとの車輪速度差を打ち消す関係にある場合に左右制動力差の上限値を相対的に大きくし、左前輪３ＦＬと右前輪３ＦＲとの車輪速度差を拡大する関係にある場合に、上限値を相対的に小さくする。この結果、制動力制御装置６０１は、より簡素な構成で左右制動力差の適正な上限値を設定することができ、より簡素な構成で制動力配分制御によって確実に車両２の挙動を安定化させることができる。
【００８５】
なお、上述した本発明の実施形態に係る制動力制御装置は、上述した実施形態に限定されず、特許請求の範囲に記載された範囲で種々の変更が可能である。本実施形態に係る制動力制御装置は、以上で説明した各実施形態の構成要素を適宜組み合わせることで構成してもよい。
【００８６】
以上の説明では、制動力制御装置の制御装置は、車両の各部を制御するＥＣＵであるものとして説明したが、これに限らず、例えば、ＥＣＵとは別個に構成され、このＥＣＵと相互に検出信号や駆動信号、制御指令等の情報の授受を行う構成であってもよい。
【００８７】
以上の説明では、制御装置は、左右制動力偏差として左右の車輪の制動力の差分を用いるものとして説明したがこれに限らず、例えば左右の車輪の制動力の比率（例えば、一方の車輪の制動力／他方の車輪の制動力）等を用いてもよい。
【符号の説明】
【００８８】
１、２０１、３０１、４０１、５０１、６０１    制動力制御装置
２    車両
３    車輪
３ＲＲ    右後輪
３ＦＲ    右前輪
３ＲＬ    左後輪
３ＦＬ    左前輪
７    制動装置
８    ＥＣＵ（制御装置）
【図１】
0005644752.tif 000002
【図２】
0005644752.tif 000003
【図３】
0005644752.tif 000004
【図４】
0005644752.tif 000005
【図５】
0005644752.tif 000006
【図６】
0005644752.tif 000007
【図７】
0005644752.tif 000008
【図８】
0005644752.tif 000009
【図９】
0005644752.tif 000010
【図１０】
0005644752.tif 000011